(57)【要約】【課題】ファスニングテープを交差させて止着しても止着力の低下が効果的に防止される使い捨ておむつを提供すること。【解決手段】使い捨ておむつ１０は、股下部Ｃ、腹側部Ａ及び背側部Ｂを備えた本体部と、該本体部の該背側部Ｂにおける幅方向の左右両側域に配置され、かつ該背側部Ｂを該腹側部Ａへ止着する左右一対の止着手段１１とを具備する。一対の止着手段１１はそれぞれ、おむつ長手方向Ｙに沿って配置され、かつおむつ幅方向Ｘに延びる横長の第１ファスニングテープ２１及び第２ファスニングテープ２２を有する。第１及び第２ファスニングテープ２１，２２のうちの少なくとも一方のファスニングテープ２１は、その延びる方向に沿って、かつ先端部２１ｂに向けて、基部側止着部２１ｃ、伸縮部２１ｄ及び先端部側止着部２１ｅをこの順で有する。【選択図】図２
2014083235.tif 000002
【特許請求の範囲】
【請求項１】
長手方向及びそれと直交する幅方向を有し、長手方向の中央域に位置する股下部、並びに該股下部から長手方向の前後に向けて延出する腹側部及び背側部を備えた本体部と、該本体部の該背側部における幅方向の左右両側域に配置され、かつ該背側部を該腹側部へ止着する左右一対の止着手段とを具備する使い捨ておむつであって、
一対の前記止着手段はそれぞれ、おむつ長手方向に沿って配置される第１ファスニングテープ及び第２ファスニングテープを有し、
前記第１及び第２ファスニングテープは、おむつ幅方向に延びる横長であり、かつ、止着部を有し、
第１及び第２ファスニングテープのうちの少なくとも一方のファスニングテープは、前記幅方向に沿って、かつ先端部に向けて、基部側止着部、伸縮部及び先端部側止着部をこの順で有する使い捨ておむつ。
【請求項２】
前記止着手段が、それぞれ独立して前記本体部の前記背側部に連設されている第１及び第２ファスニングテープからなり、
一方の前記ファスニングテープは、前記本体部の前記背側部に連設される基部を有し、前記基部側止着部が該基部から先端部側に距離を隔てて位置しており、該基部側止着部と該基部との間に位置する基部域が、前記伸縮部よりも伸縮性が低くなっている請求項１に記載の使い捨ておむつ。
【請求項３】
一方の前記ファスニングテープにおいては、前記基部域が非伸縮である請求項２に記載の使い捨ておむつ。
【請求項４】
前記止着手段が、共通基部域と、該共通基部域にそれぞれ独立して連設された第１及び第２ファスニングテープとを有し、該共通基部域が前記本体部の前記背側部に連設されており、
前記共通基部域が、前記伸縮部よりも伸縮性が低くなっている請求項１に記載の使い捨ておむつ。
【請求項５】
前記共通基部域が非伸縮である請求項４に記載の使い捨ておむつ。
【請求項６】
一方の前記ファスニングテープにおいては、前記基部側止着部と前記先端部側止着部との間の全域が前記伸縮部となっている請求項１ないし５のいずれか一項に記載の使い捨ておむつ。
【請求項７】
他方の前記ファスニングテープは、伸縮部を有していない請求項１ないし６のいずれか一項に記載の使い捨ておむつ。
【請求項８】
他方の前記ファスニングテープも、前記幅方向に沿って、かつ先端部に向けて基部側止着部、伸縮部及び先端部側止着部をこの順で有する請求項１ないし６のいずれか一項に記載の使い捨ておむつ。
【請求項９】
前記止着手段においては、一方の前記ファスニングテープが、他方の前記ファスニングテープよりもおむつ長手方向における前記股下部側に配置されており、かつ
一方の前記ファスニングテープはその長さが、他方の前記ファスニングテープの長さよりも短くなっている請求項１ないし８のいずれか一項に記載の使い捨ておむつ。
【請求項１０】
前記止着手段においては、一方の前記ファスニングテープが、他方の前記ファスニングテープよりもおむつ長手方向における股下部側に配置されており、かつ
他方の前記ファスニングテープは、おむつ幅方向と平行に延びているとともに、一方の前記ファスニングテープは、その延びる方向の延長線が、他方の前記ファスニングテープと交差するように、おむつ幅方向に対して傾斜している請求項１ないし９のいずれか一項に記載の使い捨ておむつ。
【請求項１１】
前記本体部の前記背側部のうち、前記止着手段と連設する領域が伸縮性を有する請求項１ないし１０のいずれか一項に記載の使い捨ておむつ。
【発明の詳細な説明】
【技術分野】
【０００１】
本発明はファスニングテープを有する使い捨ておむつに関する。
【背景技術】
【０００２】
使い捨ておむつの一つとして、おむつ背側部における左右両側域に取り付けられたファスニングテープによって、おむつ背側部と腹側部とを着用者の腰周りで止着して着用する展開型おむつが知られている。展開型おむつには、背側部の両側域にファスニングテープが１つずつ取り付けられているものと、２つのファスニングテープが取り付けられているものとが知られている。例えば特許文献１には、おむつ背側部の両側域に、おむつ長手方向に沿って２つのファスニングテープを配置し、おむつを着用するときに２つのファスニングテープを交差させるように腹側部へ止着するようにした使い捨ておむつが記載されている。
【先行技術文献】
【特許文献】
【０００３】
【特許文献１】特開２０１１−１４７７１１号公報
【発明の概要】
【発明が解決しようとする課題】
【０００４】
前記文献に記載のおむつにおいては、ファスニングテープを交差させた状態で止着を行うことで、着用者のウエスト周り及びレッグ周りのフィット性が向上するという利点がある。しかし、ファスニングテープを交差させることで、該ファスニングテープにおける止着部の面積が減少するので、そのことに起因して止着力が弱まり、おむつの着用状態において、ファスニングテープが腹側部から剥離しやすくなる傾向にある。また、着用者の腹囲が変化した場合、特に腹囲が減少した場合に、上側に位置するファスニングテープのうち、下側に位置するファスニングテープを跨ぐ部位が浮き上がりやすくなり、そのことに起因してもファスニングテープが剥離しやすくなる傾向にある。
【０００５】
したがって本発明の課題は、前述した従来技術が有する欠点を解消し得る使い捨ておむつに関する。
【課題を解決するための手段】
【０００６】
本発明は、長手方向及びそれと直交する幅方向を有し、長手方向の中央域に位置する股下部、並びに該股下部から長手方向の前後に向けて延出する腹側部及び背側部を備えた本体部と、該本体部の該背側部における幅方向の左右両側域に配置され、かつ該背側部を該腹側部へ止着する左右一対の止着手段とを具備する使い捨ておむつであって、
一対の前記止着手段はそれぞれ、おむつ長手方向に沿って配置される第１ファスニングテープ及び第２ファスニングテープを有し、
前記第１及び第２ファスニングテープは、おむつ幅方向に延びる横長であり、かつ、止着部を有し、
第１及び第２ファスニングテープのうちの少なくとも一方のファスニングテープは、前記幅方向に沿って、かつ先端部に向けて、基部側止着部、伸縮部及び先端部側止着部をこの順で有する使い捨ておむつを提供するものである。
【発明の効果】
【０００７】
本発明によれば、ファスニングテープを交差させて止着しても止着力の低下が効果的に防止され、着用者の身体へのおむつのフィット性を向上させることができる。
【図面の簡単な説明】
【０００８】
【図１】図１は、本発明の使い捨ておむつの一実施形態を、表面シート側から見た平面図である。
【図２】図２は、図１に示すおむつにおける止着手段を拡大して示す平面図である。
【図３】図３は、図２におけるIII−III線断面図である。
【図４】図４（ａ）及び（ｂ）は、図１に示すおむつを装着する手順を示す図である。
【図５】図５（ａ）ないし（ｄ）は、止着手段の別の形態を示す平面図であり、図２に相当する図である。
【図６】図６は、止着手段の更に別の形態を示す平面図であり、図２に相当する図である。
【図７】図７は、止着手段の更に別の形態を示す平面図であり、図２に相当する図である。
【発明を実施するための形態】
【０００９】
以下本発明を、その好ましい実施形態に基づき図面を参照しながら説明する。図１には、本発明の使い捨ておむつの一実施形態が示されている。同図に示すおむつ１０は、テープ止めタイプの展開型のものである。おむつ１０は、長手方向Ｙと、これに直交する幅方向Ｘを有し、長手方向Ｙに長い形状をしている。おむつ１０は、長手方向Ｙに延びる中心線（図示せず）に対して左右が対称形をしている。おむつ１０は、その長手方向Ｙの中央域が股下部Ｃとなっている。股下部Ｃの前後は、腹側部Ａ及び背側部Ｂとなっている。これら腹側部Ａ、股下部Ｃ及び背側部Ｂによっておむつ本体部が形成されている。
【００１０】
おむつ１０は、本体部に加えて、該本体部の背側部Ｂにおける幅方向の左右両側域に、背側部を腹側部へ止着する左右一対の止着手段１１，１１を具備している。この止着手段１１の詳細については後述する。
【００１１】
おむつ１０は、着用者の肌に近い側、すなわち肌当接面側に位置する表面シート１２と、着用者の肌から遠い側、すなわち非肌当接面側に位置する裏面シート１３を備えている。表面シート１２と裏面シート１３との間には吸収体１４が位置している。
【００１２】
表面シート１２としては液透過性を有するシート材が用いられる。例えば各種不織布に親水化処理を施したものや、穿孔フィルムなどを用いることができる。裏面シート１３としては、液不透過性ないし液難透過性のフィルムや不織布（例えばスパンボンド−メルトブローン−スパンボンド不織布）を用いることができる。裏面シート１３は水蒸気透過性であることが好ましい。水蒸気透過性を有する裏面シート１３としては、例えば熱可塑性樹脂及び該樹脂と相溶性を有しない固体粒子とを含むフィルムを一軸又は二軸延伸してなる多孔性フィルムを用いることができる。吸収体１４としては、フラッフパルプ等の親水性繊維の積繊体や、該親水性繊維と高吸収性ポリマーとを含む積繊体などを用いることができる。
【００１３】
おむつ１０の股下部Ｃにおける左右の両側域には、吸収体１４の側縁よりも幅方向Ｘの外方の位置に、レッグ弾性部材１５が配されている。レッグ弾性部材１５は、長手方向Ｙと同方向に延びている。レッグ弾性部材１５は、伸長状態で、吸収体１４の側縁から幅方向Ｘの外方へ延出している表面シート１２と裏面シート１３との間に接合固定されている。自然状態において、レッグ弾性部材１５は収縮してレッグギャザーを形成する。レッグギャザーはおむつ１０の着用状態において着用者のレッグ周りにフィットして、レッグ周りからの液漏れを効果的に防止する。
【００１４】
おむつ１０の背側部Ｂにおいては、吸収体の端縁よりも長手方向Ｙの外方の位置に、ウエスト弾性部材１６が配されている。ウエスト弾性部材１６は、幅方向Ｘと同方向に延びている。ウエスト弾性部材１６は、伸長状態で、吸収体１４の端縁から長手方向Ｙの外方へ延出している表面シート１２と裏面シート１３との間に接合固定されている。自然状態において、ウエスト弾性部材１６は収縮してウエストギャザーを形成する。ウエストギャザーはおむつ１の着用状態において着用者のウエスト周りにフィットして、ウエスト周りからの液漏れを効果的に防止する。なお図１においては、ウエスト弾性部材１６が背側部Ｂにのみ配置されている状態が示されているが、これに代えて又はこれに加えて腹側部にウエスト弾性部材が配置されていてもよい。
【００１５】
おむつ１０の腹側部Ａの外表面、すなわち裏面シート１３の非肌当接面には、止着手段１１に備えられているファスニングテープを止着させるランディングテープＬが設けられている。ファスニングテープをランディングテープＬに止着することで、おむつ１０の装着状態が完成する。
【００１６】
図２には、図１に示すおむつ１０における止着手段１１の要部が示されている。なお図２には、おむつ１０に備えられている左右一対の止着手段１１のうちの一方の構成のみが示されているが、他方の止着手段１１についても同様の構成となっている。止着手段１１は、長手方向Ｙに沿って配置された２つのファスニングテープ、すなわち第１ファスニングテープ２１及び第２ファスニングテープ２２を有している。２つのファスニングテープ２１，２２のうち、第１ファスニングテープ２１は、第２ファスニングテープ２２よりも股下部Ｃ側に配置されている。第２ファスニングテープ２２は、第１ファスニングテープ２１よりも背側部Ｂの端縁Ｂ’側に配置されている。各ファスニングテープ２１，２２は、おむつ１０の幅方向Ｘに延びる横長の形をしている。各ファスニングテープ２１，２２は、それぞれ独立しておむつ本体部の背側部Ｂに連設されている。
【００１７】
第１ファスニングテープ２１及び第２ファスニングテープ２２は、いずれも幅方向Ｘと平行に延びている。したがって第１ファスニングテープ２１と第２ファスニングテープ２２とは平行になっている。第１ファスニングテープ２１と第２ファスニングテープ２２とは距離ｄを隔てて離間している。
【００１８】
第１ファスニングテープ２１及び第２ファスニングテープ２２は、いずれも基部２１ａ，２２ａと先端部２１ｂ，２２ｂとを有している。各ファスニングテープ２１，２２は、基部２１ａ，２２ａにおいておむつ１０の本体部における背側部Ｂに連設されている。先端部２１ｂ，２２ｂは、各ファスニングテープ２１，２２の自由端部になっている。
【００１９】
各ファスニングテープ２１，２２は、おむつ本体部の背側部Ｂにおける左右の両側縁から幅方向Ｘの外方へ向けて延出している。各ファスニングテープ２１，２２の延出長さは同じになっている。また、各ファスニングテープ２１，２２の幅、すなわちおむつ長手方向Ｙに沿った長さは、両者において同じになっている。各ファスニングテープ２１，２２は、止着部を有している。止着部は、本実施形態における先端部側止着部２１ｅ、２２ｅ、基部側止着部２１ｃ、２２ｃを含み（図２）、また、他の実施形態における幅広止着部２２ｇ（図５（ａ））を含む。
【００２０】
止着手段１１においては、２つのファスニングテープ２１，２２のうち、股下部Ｃ側に配置されているファスニングテープである第１ファスニングテープ２１が、その延びる方向、すなわちおむつ幅方向Ｘに沿って、かつ先端部２１ｂに向けて、基部側止着部２１ｃ、伸縮部２１ｄ及び先端部側止着部２１ｅをこの順で有している。基部側止着部２１ｃ及び先端部側止着部２１ｅは、先に述べたランディングテープＬ（図１参照）に止着可能な構造を有している。例えばランディングテープＬが不織布や編み物地等の繊維材料からなる場合には、基部側止着部２１ｃ及び先端部側止着部２１ｅとして面ファスナのフック部材を用いることができる。またランディングテープＬが合成樹脂製のフィルムからなる場合には、基部側止着部２１ｃ及び先端部側止着部２１ｅとして、該フィルムに粘着可能な粘着剤を用いることができる。
【００２１】
基部側止着部２１ｃは、第１ファスニングテープ２１の基部２１ａから先端部２１ｂ側に距離を隔てて位置している。基部２１ａと、基部側止着部２１ｃとの間に位置する領域は、基部域２１ｆとなっている。先端部側止着部２１ｅは、基部側止着部２１ｃの配置位置から伸縮部２１ｄを隔てて配置されている。基部側止着部２１ｃ及び先端部側止着部２１ｅは、第１ファスニングテープ２１の幅方向の全域にわたって、すなわちおむつ長手方向Ｙの全域にわたって形成されている。
【００２２】
基部側止着部２１ｃと先端部側止着部２１ｅとの間に位置する伸縮部２１ｄは、少なくとも第１ファスニングテープ２１の延びる方向、すなわちおむつ１０の幅方向Ｘに沿って伸縮性を有している。これに加えて伸縮部２１ｄは、第１ファスニングテープ２１の幅方向、すなわちおむつ１０の長手方向Ｙに沿って伸縮性を有していてもよい。伸縮部２１ｄは、基部側止着部２１ｃと先端部側止着部２１ｅとの間のすべての領域において伸縮性を有していてもよい。あるいは基部側止着部２１ｃと先端部側止着部２１ｅとの間の領域における少なくとも一部に伸縮性を有していてもよい。第１ファスニングテープ２１による止着の効果が一層高いという観点からは、伸縮部２１ｄは、基部側止着部２１ｃと先端部側止着部２１ｅとの間のすべての領域において伸縮性を有していることが好ましい。
【００２３】
第１ファスニングテープ２１における基部２１ａと基部側止着部２１ｃとの間に位置する基部域２１ｆは、伸縮部２１ｄよりも伸縮性が低くなっている。伸縮性が低いとは、同じ引張応力を加えたときに、伸長の程度が低く、かつ収縮の程度が低いことを言う。なお、ここで言う伸縮性とは、第１ファスニングテープ２１の延びる方向、すなわちおむつ１０の幅方向Ｘについてのものである。特に、基部域２１ｆは非伸縮であることが好ましい。非伸縮とは、引張応力を加えたときに伸縮しないことをいう。具体的には、非伸縮のシート材を用いて形成された状態、又は、熱加工などを施すことにより伸縮シートの伸縮性を減殺した状態のことを言う。
【００２４】
図３には、第１ファスニングテープ２１の断面の構造が示されている。同図に示すとおり、第１ファスニングテープ２１は、基材シート２０の一面、具体的には表面シート１２側の表面に、基部側止着部２１ｃ及び先端部側止着部２１ｅが設けられて構成されている。基材シート２０としては、例えばおむつ１０の幅方向Ｘに沿って少なくとも伸縮性を有するシート材が用いられる。そのようなシート材としては、例えば伸縮性を有する１枚のフィルムや、２枚の不織布の間に、おむつ１０の幅方向Ｘに延びる弾性部材を伸長状態で接合固定した複合伸縮材などを用いることができる。このような伸縮性を有するシート材を基材シート２０として用い、該基材シート２０の一面に基部側止着部２１ｃ及び先端部側止着部２１ｅを取り付ける。この取り付けによって、基部側止着部２１ｃと先端部側止着部２１との間に伸縮部２１ｄを容易に形成することもできる。
【００２５】
基部側止着部２１ｃ及び先端部側止着部２１ｅの取り付け時には、基材シート２０のうち、基部側止着部２１ｃ及び先端部側止着部２１ｅが固定される部位の伸縮性が発現しないような加工を施すことが好ましい。例えば基部側止着部２１ｃ及び先端部側止着部２１ｅを基材シート２０に取り付けるときに熱を付与して、これらの止着部２１ｃ，２１ｅの取り付け部位における基材シート２０の伸縮性を減殺することができる。同様の手法を用いて、基部域２１ｆの伸縮性を減殺することができる。
【００２６】
基材シート２０としては、その全体が伸縮性を有するものに代えて、伸縮部２１ｄとなるべき部位のみが伸縮性を有し、その他の部位が非伸縮であるものを用いることができる。そのような基材シート２０は、伸縮性を有するシート材と、非伸縮のシート材とを面方向に沿って貼り合わせることで得ることができる。そして、非伸縮のシート材の位置に基部側止着部２１ｃ及び先端部側止着部２１ｅを取り付ければよい。
【００２７】
伸縮性を有するシート材と、非伸縮のシート材とを面方向に沿って貼り合わせることに代えて、基材シート２０として、２枚の不織布の間に、おむつ１０の幅方向Ｘに延びる弾性部材を伸長状態で接合固定した複合伸縮材であって、かつ伸縮部２１ｄとなるべき部位にのみ弾性部材を配したものを用いることもできる。このような複合伸縮材を用いた場合には、該複合伸縮材のうち、２枚の不織布のみで構成される部位に基部側止着部２１ｃ及び先端部側止着部２１ｅを取り付ければよい。
【００２８】
基材シート２０が、上述したいずれの形態である場合でも、該基材シート２０は、その端部域２０ａが、おむつ本体の背側部Ｂにおける側域に位置する表面シート１２と裏面シート１３との間に配置される。そして、端部域２０ａは、その表面シート１２との対向域、及び裏面シート１３との対向域に接着剤Ｈが施される。接着剤Ｈによる接着で、基材シート２０の端部域２０ａは、表面シート１２と裏面シート１３との間に挟持固定される。
【００２９】
以上の説明は、第１ファスニングテープ２１についてのものであったところ、第２ファスニングテープ２２は、第１ファスニングテープ２１と同様の構成を有している。すなわち、第２ファスニングテープ２２は、おむつ幅方向Ｘに沿って、かつ先端部２２ｂに向けて、基部側止着部２２ｃ、伸縮部２２ｄ及び先端部側止着部２２ｅをこの順で有している。基部側止着部２２ｃは、第２ファスニングテープ２２の基部２２ａから先端部２２ｂ側に距離を隔てて配置されている。基部２２ａと、基部側止着部２２ｃとの間の領域は、基部域２２ｆとなっている。先端部側止着部２２ｅは、基部側止着部２２ｃの配置位置から伸縮部２２ｄを隔てて配置されている。伸縮部２２ｄは、少なくとも第２ファスニングテープ２２の延びる方向に沿って伸縮性を有している。これに加えて伸縮部２２ｄは、おむつ１０の長手方向Ｙに沿って伸縮性を有していてもよい。伸縮部２２ｄは、基部側止着部２２ｃと先端部側止着部２２ｅとの間のすべての領域において伸縮性を有していてもよい。あるいは基部側止着部２２ｃと先端部側止着部２２ｅとの間の領域における少なくとも一部に伸縮性を有していてもよい。基部域２２ｆは、伸縮部２２ｄよりも伸縮性が低くなっている。特に、基部域２２ｆは非伸縮であることが好ましい。第２ファスニングテープ２２に関するこれらの説明以外に、特に説明しなかった点については、第１ファスニングテープ２１に関する説明が適用される。
【００３０】
第１ファスニングテープ２１及び第２ファスニングテープ２２においては、基部側止着部２１ｃ，２２ｃは、おむつ１０の幅方向Ｘにおいて同位置に形成されている。先端部側止着部２１ｅ，２２ｅも、おむつ１０の幅方向Ｘにおいて同位置に形成されている。伸縮部２１ｄ，２２ｄ及び基部域２１ｆ，２２ｆについても同様である。
【００３１】
以上の構成を有するおむつ１０を着用者の身体に装着する手順を図４（ａ）及び（ｂ）を参照しながら説明する。まず、おむつ１０における股下部Ｃを着用者の股下に位置させるとともに、腹側部Ａ及び背側部Ｂを着用者の腹部及び背部に位置させる。この状態下に、背側部Ｂの左右両側域に配置された止着手段１１を腹側部Ａの側に引き寄せる。そして図４（ａ）に示すとおり、止着手段１１における各第２ファスニングテープ２２，２２を腹側部Ａの外面に位置するランディングテープＬに止着する。この場合、第２ファスニングテープ２２は、斜め下方向、すなわち股下部Ｃ側に向けて傾斜させてランディングテープＬに取り付ける。第２ファスニングテープ２２の取り付けに際しては、該第２ファスニングテープ２２が有する伸縮部２２ｄを伸長させ、その伸長状態下に該第２ファスニングテープ２２をランディングテープＬに止着させてもよい。ランディングテープＬへの第２ファスニングテープ２２の止着は、基部側止着部２２ｃ及び先端部側止着部２２ｅの双方によって達成される。
【００３２】
次に、図４（ｂ）に示すとおり、止着手段１１における各第１ファスニングテープ２１をランディングテープＬに止着する。このとき、第１ファスニングテープ２１を斜め上方向、すなわちおむつ１０のウエスト開口部Ｗ側に向けて傾斜させ、第１ファスニングテープ２１が、先に止着してある第２ファスニングテープ２２と交差するようにランディングテープＬに取り付ける。このとき、第１ファスニングテープ２１をその先端部２１ｂの方向へ向けて引っ張り、伸縮部２１ｄを伸長させる。そして、伸長した伸縮部２１ｄが、先に止着してある第２ファスニングテープ２２を跨ぐようにする。その結果、伸縮部２１ｄに隣接して位置する基部側止着部２１ｃ及び先端部側止着部２１ｅが直接ランディングテープＬと当接して、該ランディングテープＬに首尾よく止着するようになる。このように、本実施形態によれば、第１ファスニングテープ２１及び第２ファスニングテープ２２に設けられた止着部をその全域にわたってランディングテープＬに止着することができるので、両ファスニングテープ２１，２２の重ね止着を容易に行うことができるとともに、それらの剥離が起こりにくくなる。また、おむつ１０のウエスト開口部及びレッグ開口部のサイズ調整を容易に行うこともできる。更に、着用者の腹囲が減少した場合であっても、第２ファスニングテープ２２を跨ぐ第１ファスニングテープ２１の伸縮部２１ｄに、たるみに起因する浮き上がりが生じにくいので、そのことによってもファスニングテープが剥離することが効果的に防止される。
【００３３】
以上の観点から、伸縮部２１ｄ，２２ｄは、その自然状態における長さ、すなわち自然状態におけるおむつ幅方向Ｘの長さが、先に止着されているファスニングテープを交差して跨ぐことができない長さである場合には、その伸長によって該伸縮部２１ｄ，２２ｄが、先に止着されているファスニングテープを交差して跨ぐことが可能な程度の長さに伸長する伸長性を有することが好ましい。もちろん伸縮部２１ｄ，２２ｄは、その自然状態における長さが、先に止着されているファスニングテープを交差して跨ぐことができる長さであっても構わない。
【００３４】
図４（ａ）及び（ｂ）に示すファスニングテープ２１，２２の止着手順は、先に第２ファスニングテープ２２を止着し、次にそれと交差するように第１ファスニングテープ２１を止着するというものである。この止着手順によれば、レッグ周りの締め付けの調整を容易に行うことができる。この反対に、先に第１ファスニングテープ２１を斜め上方向に傾斜して止着し、次にそれを交差するように第２ファスニングテープ２２を斜め下方向に傾斜して止着するという手順を採用すこともできる。その場合には、ウエスト周りの締め付けの調整を容易に行うことができる。後者の場合には、先に止着されている第１ファスニングテープ２１を跨ぐように第２ファスニングテープ２２の伸縮部２２ｄを伸長させることで、該伸縮部２２ｄに隣接する基部側止着部２２ｃ及び先端部側止着部２２ｅをランディングテープＬへ容易に直接止着することができる。
【００３５】
特に、各ファスニングテープ２１，２２において、基部２１ａ，２２ａと基部側止着部２１ｃ，２２ｃとの間に位置する基部域２１ｆ，２２ｆの伸縮性を、伸縮部２１ｄ，２２ｄよりも低くした場合、とりわけ非伸縮にした場合には、各ファスニングテープ２１，２２に加える引張力が伸縮部２１ｄ，２２ｄに有効に作用するようになるので、該伸縮部２１ｄ，２２ｄの伸長を一層容易に行うことができるという利点がある。
【００３６】
図５（ａ）ないし（ｄ）には、本発明のおむつにおける止着手段１１の別の実施形態が示されている。図５（ａ）に示す実施形態においては、第１ファスニングテープ２１の構成は、先に述べた実施形態と同様である。第２ファスニングテープ２２については、先に述べた実施形態と異なり、幅広止着部２２ｇを１箇所有するのみであり、２つの止着部の間に位置する伸縮部は存在しない。幅広止着部２２ｇと基部２２ａとの間は、基部域２２ｆとなっている。基部域２２ｆは、伸縮性を有していてもよく、あるいは非伸縮であってもよい。特に基部域２２ｆは非伸縮であることが好ましい。この場合には、第２ファスニングテープ２２はその全体が非伸縮のものとなり、伸縮部を有さないことになる。本実施形態の止着手段１１を有するおむつを装着する場合には、先に第２ファスニングテープ２２を斜め下方向に傾斜して止着し、次にそれを交差するように第１ファスニングテープ２１を斜め上方向に傾斜して止着するという手順を採用すればよい。本実施形態によれば、先に止着される第２ファスニングテープ２２の止着領域を広く確保することができるので、止着力を一層高められるという利点がある。
【００３７】
図５（ｂ）に示す実施形態は、第２ファスニングテープ２２の構成が図１ないし図４に示す実施形態と異なる以外は、同実施形態と同様である。本実施形態における第２ファスニングテープ２２は、基部側止着部２２ｃ及び先端部側止着部２２ｅを有している。そして両止着部２２ｃ，２２ｅの間の領域は非伸縮部２２ｈとなっている。第２ファスニングテープ２２における基部域２２ｆは、伸縮性を有していてもよく、あるいは非伸縮であってもよい。特に基部域２２ｆは非伸縮であることが好ましい。この場合には、第２ファスニングテープ２２はその全体が非伸縮のものとなり、伸縮部を有さないことになる。本実施形態の止着手段１１を有するおむつを装着する場合には、図５（ａ）に示す実施形態と同様の装着手順を採用すればよい。
【００３８】
図５（ｃ）に示す実施形態は、図５（ｂ）に示す実施形態の変形例である。本実施形態においては、２つのファスニングテープ２１，２２の長さが異なっている。詳細には、第１ファスニングテープ２１はその長さが、第２ファスニングテープ２２の長さよりも短くなっている。第１ファスニングテープ２１はその長さが短いものの、ランディングテープＬへの止着時には、該第１ファスニングテープ２１が有している伸縮部２１ｄが伸長するので、長さを短くすることによる不都合は生じない。逆に、第１ファスニングテープ２１の長さを短くすることで、材料の使用量を削減できるという利点が生じる。本実施形態の止着手段１１を有するおむつを装着する場合には、図５（ａ）に示す実施形態と同様の装着手順を採用すればよい。
【００３９】
図５（ｄ）に示す実施形態も、図５（ｂ）に示す実施形態の変形例である。本実施形態においては、第２ファスニングテープ２２の構成は、図５（ｂ）に示す実施形態と同様である。一方、第１ファスニングテープ２１の形態は、図５（ｂ）に示す実施形態と相違する。詳細には、第１ファスニングテープ２１は、これをランディングテープＬに取り付ける前の状態において既に傾斜している。具体的には、第１ファスニングテープ２１は、その延びる方向の延長線ｅが、ランディングテープＬに取り付ける前の状態の第２ファスニングテープ２２と交差するように、おむつ幅方向Ｘに対して傾斜している。これに対して第２ファスニングテープ２２は、おむつ幅方向Ｘと平行に延びている。第１ファスニングテープ２１は、その延びる方向の長さ（おむつ幅方向Ｘと平行な方向の長さではない。）が、第２ファスニングテープ２２の延びる方向の長さ（おむつ幅方向Ｘと平行な方向の長さ。）と同じであってもよく、あるいは第２ファスニングテープ２２の延びる方向の長さよりも長いか又は短くてもよい。本実施形態によれば、第１ファスニングテープ２１が、ランディングテープＬへの止着前から傾斜しているので、該第１ファスニングテープ２１を斜め上方向に向けて止着することを視覚的に使用者にアピールすることができる。本実施形態の止着手段１１を有するおむつを装着する場合には、図５（ａ）に示す実施形態と同様の装着手順を採用すればよい。
【００４０】
図６には、本発明のおむつの止着手段１１の更に別の実施形態が示されている。同図に示す止着手段１１は、共通基部域３０と、共通基部域３０にそれぞれ独立して連設された第１及び第２ファスニングテープ２１，２２とを有している。第１ファスニングテープ２１は、基部側止着部２１ｃ、伸縮部２１ｄ及び先端側止着部２１ｅを有している。第２ファスニングテープ２２は、基部側止着部２２ｃ、伸縮部２２ｄ及び先端側止着部２２ｅを有している。共通基部域３０は、基部３１においておむつ１０の本体部における背側部Ｂに連設されている。
【００４１】
共通基部域３０は、各ファスニングテープ２１，２２を構成する基材シート２０（図３参照）と一体的に形成されている。つまり、共通基部域３０が、おむつ幅方向Ｘの外方に向けて二股に分かれて延出し、その延出部位が基材シート２０を構成している。２つのファスニングテープ２１，２２は距離ｄを隔てて離間している。共通基部域３０を構成する材料については、先に図３を参照しながら述べた基材シート２０に関する説明が適宜適用される。
【００４２】
共通基部域３０は、各ファスニングテープ２１，２２が有する伸縮部２１ｄ，２２ｄと同様の伸縮性を有していてもよい。あるいは、伸縮部２１ｄ，２２ｄよりも伸縮性が低くなっていてもよい、特に共通基部域３０は非伸縮であることが好ましい。共通基部域３０が非伸縮であることで、各ファスニングテープ２１，２２に加える引張力が伸縮部２１ｄ，２２ｄに有効に作用するようになるからである。
【００４３】
図７には、本発明のおむつの更に別の実施形態が示されている。同図に示す実施形態においては、止着手段１１の構成は図１ないし図４に示す実施形態と同様である。本実施形態が、図１ないし図４に示す実施形態と異なる点は、おむつ本体部の背側部Ｂの構造である。詳細には、背側部Ｂにおいては、該背側部のうち、止着手段１１と連設する領域である背側部側域Ｂ１が伸縮性を有している。背側部側域Ｂ１の伸縮性は、少なくともおむつ幅方向Ｘに沿った方向に発現していればよい。好ましくは、この方向に加えておむつ長手方向Ｙに沿った方向にも伸縮性を発現していてもよい。本実施形態によれば、背側部側域Ｂ１が伸縮性を有していることで、着用者の腹囲の寸法が変化した場合であっても、その変化を背側部側域Ｂ１が吸収することができるので、おむつの位置ずれが一層起こりづらくなるという利点がある。
【００４４】
背側部側域Ｂ１に伸縮性を付与するには、例えば該背側部側域Ｂ１を構成する部材として伸縮性を有するシート材を用いればよい。そのようなシート材としては、例えば伸縮性を有する１枚のフィルムや、２枚の不織布の間に、おむつ１０の幅方向Ｘに延びる弾性部材を伸長状態で接合固定した複合伸縮材などを用いることができる。
【００４５】
以上、本発明をその好ましい実施形態に基づき説明したが、本発明は前記実施形態に制限されない。例えば図５（ａ）ないし（ｄ）に示す実施形態においては、第１ファスニングテープ２１が伸縮部を有し、第２ファスニングテープ２２は伸縮部を有していなかったが、これに代えて、第２ファスニングテープ２２が伸縮部を有し、第１ファスニングテープ２１は伸縮部を有していない構成を採用してもよい。
【００４６】
また図５（ｃ）に示す実施形態においては、第１ファスニングテープ２１の長さが第２ファスニングテープ２２の長さよりも短かったが、両者の長さ関係を逆にしてもよい。更に図５（ｄ）に示す実施形態においては、第１ファスニングテープ２１が傾斜し、第２ファスニングテープ２２はおむつ幅方向Ｘと平行になっていたが、これに代えて、第２ファスニングテープ２２を股下部Ｃ側に向けて斜め下方向に傾斜させ、第１ファスニングテープ２をおむつ幅方向Ｘと平行にする構成を採用してもよい。
【００４７】
更に図６及び図７に示す実施形態においては、第１及び第２ファスニングテープ２１，２２のいずれもが伸縮部２１ｄ，２２ｄを有していたが、これに代えて、両ファスニングテープ２１，２２のうちのいずれか一方のみが、伸縮部を有する構成としてもよい。
【００４８】
更に前記の各実施形態においては各止着手段１１が、おむつ長手方向Ｙに沿って２つのファスニングテープを有していたが、該止着手段１１は３つ以上のファスニングテープを有していてもよい。
【００４９】
更に、以上の各実施形態の構成を適宜に組み合わせてもよい。
【００５０】
上述した実施形態に関し、本発明は更に以下の使い捨ておむつを開示する。
＜１＞  長手方向及びそれと直交する幅方向を有し、長手方向の中央域に位置する股下部、並びに該股下部から長手方向の前後に向けて延出する腹側部及び背側部を備えた本体部と、該本体部の該背側部における幅方向の左右両側域に配置され、かつ該背側部を該腹側部へ止着する左右一対の止着手段とを具備する使い捨ておむつであって、
一対の前記止着手段はそれぞれ、おむつ長手方向に沿って配置される横長の第１ファスニングテープ及び第２ファスニングテープを有し、
前記第１及び第２ファスニングテープは、おむつ幅方向に延びる横長であり、かつ、止着部を有し、
第１及び第２ファスニングテープのうちの少なくとも一方のファスニングテープは、前記幅方向に沿って、かつ先端部に向けて、基部側止着部、伸縮部及び先端部側止着部をこの順で有する使い捨ておむつ。
【００５１】
＜２＞  前記止着手段が、それぞれ独立して前記本体部の前記背側部に連設されている第１及び第２ファスニングテープからなり、
一方の前記ファスニングテープは、前記本体部の前記背側部に連設される基部を有し、前記基部側止着部が該基部から先端部側に距離を隔てて位置しており、該基部側止着部と該基部との間に位置する基部域が、前記伸縮部よりも伸縮性が低くなっている前記＜１＞に記載の使い捨ておむつ。
＜３＞  一方の前記ファスニングテープにおいては、前記基部域が非伸縮である前記＜２＞に記載の使い捨ておむつ。
＜４＞  前記止着手段が、共通基部域と、該共通基部域にそれぞれ独立して連設された第１及び第２ファスニングテープとを有し、該共通基部域が前記本体部の前記背側部に連設されており、
前記共通基部域が、前記伸縮部よりも伸縮性が低くなっている前記＜１＞に記載の使い捨ておむつ。
＜５＞  前記共通基部域が非伸縮である前記＜４＞に記載の使い捨ておむつ。
【００５２】
＜６＞  一方の前記ファスニングテープにおいては、前記基部側止着部と前記先端部側止着部との間の全域が前記伸縮部となっている前記＜１＞ないし＜５＞のいずれか１に記載の使い捨ておむつ。
＜７＞  他方の前記ファスニングテープは、伸縮部を有していない前記＜１＞ないし＜６＞のいずれか１に記載の使い捨ておむつ。
＜８＞  他方の前記ファスニングテープも、前記幅方向に沿って、かつ先端部に向けて基部側止着部、伸縮部及び先端部側止着部をこの順で有する前記＜１＞ないし＜６＞のいずれか１に記載の使い捨ておむつ。
＜９＞  他方の前記ファスニングテープは、止着部を１箇所のみ有する前記＜１＞ないし＜７＞のいずれか１に記載の使い捨ておむつ。
＜１０＞  前記止着手段においては、一方の前記ファスニングテープが、他方の前記ファスニングテープよりもおむつ長手方向における前記股下部側に配置されており、かつ
一方の前記ファスニングテープはその長さが、他方の前記ファスニングテープの長さよりも短くなっている前記＜１＞ないし＜９＞のいずれか１に記載の使い捨ておむつ。
【００５３】
＜１１＞  前記止着手段においては、一方の前記ファスニングテープが、他方の前記ファスニングテープよりもおむつ長手方向における前記背側部側に配置されており、かつ
一方の前記ファスニングテープはその長さが、他方の前記ファスニングテープの長さよりも短くなっている前記＜１＞ないし＜９＞のいずれか１に記載の使い捨ておむつ。
＜１２＞  前記止着手段においては、一方の前記ファスニングテープが、他方の前記ファスニングテープよりもおむつ長手方向における股下部側に配置されており、かつ
他方の前記ファスニングテープは、おむつ幅方向と平行に延びているとともに、一方の前記ファスニングテープは、その延びる方向の延長線が、他方の前記ファスニングテープと交差するように、おむつ幅方向に対して傾斜している前記＜１＞ないし＜１１＞のいずれか１に記載の使い捨ておむつ。
＜１３＞  前記止着手段においては、一方の前記ファスニングテープが、他方の前記ファスニングテープよりもおむつ長手方向における股下部側に配置されており、かつ
一方の前記ファスニングテープは、おむつ幅方向と平行に延びているとともに、他方の前記ファスニングテープは、その延びる方向の延長線が、一方の前記ファスニングテープと交差するように、おむつ幅方向に対して傾斜している前記＜１＞ないし＜１１＞のいずれか１に記載の使い捨ておむつ。
【００５４】
＜１４＞  前記本体部の前記背側部のうち、前記止着手段と連設する領域が伸縮性を有する前記＜１＞ないし＜１３＞のいずれか１に記載の使い捨ておむつ。
＜１５＞  伸縮部は、一方の前記ファスニングテープの幅方向に沿って伸縮性を有する前記＜１＞ないし＜１４＞のいずれか１に記載の使い捨ておむつ。
＜１６＞  基部側止着部と先端部側止着部との間の領域における少なくとも一部に伸縮性を有している前記＜１＞ないし＜１５＞のいずれか１に記載の使い捨ておむつ。
＜１７＞  伸縮部は、基部側止着部と先端部側止着部との間のすべての領域において伸縮性を有する前記＜１＞ないし＜１６＞のいずれか１に記載の使い捨ておむつ。
＜１８＞  基材シートは、伸縮性を有する１枚のフィルムである前記＜１＞ないし＜１７＞のいずれか１に記載の使い捨ておむつ。
【００５５】
＜１９＞  基材シートは、２枚の不織布の間に、おむつの幅方向に延びる弾性部材を伸長状態で接合固定した複合伸縮材である前記＜１＞ないし＜１７＞のいずれか１に記載の使い捨ておむつ。
＜２０＞  基材シートの端部域は、表面シートと裏面シートとの間に挟持固定される前記＜１＞ないし＜１９＞のいずれか１に記載の使い捨ておむつ。
＜２１＞  前記背側部側域を構成する部材は伸縮性を有する１枚のフィルムである前記＜１４＞ないし＜２０＞のいずれか１に記載の使い捨ておむつ。
＜２２＞  前記背側部側域を構成する部材は、２枚の不織布の間に、おむつの幅方向に延びる弾性部材を伸長状態で接合固定した複合伸縮材である前記＜１４＞ないし＜２１＞のいずれか１に記載の使い捨ておむつ。
【００５６】
＜２３＞  他方の前記ファスニングテープも、前記幅方向に延びる方向に沿って、かつ先端部に向けて基部側止着部、伸縮部及び先端部側止着部をこの順で有し、
前記本体部の前記背側部に連設される基部を有し、前記基部側止着部が該基部から先端部側に距離を隔てて位置しており、
該基部側止着部と該基部との間に位置する基部域が非伸縮である前記＜３＞に記載の使い捨ておむつ。
＜２４＞  前記止着手段においては、一方の前記ファスニングテープが、他方の前記ファスニングテープよりもおむつ長手方向における前記股下部側に配置されている前記＜９＞に記載の使い捨ておむつ。
＜２５＞  他方の前記ファスニングテープは、前記幅方向に延びる方向に沿って、かつ先端部に向けて基部側止着部、非伸縮部及び先端部側止着部をこの順で有し、かつ
前記止着手段においては、他方の前記ファスニングテープが、一方の前記ファスニングテープよりもおむつ長手方向における前記背側部側に配置されている前記＜７＞に記載の使い捨ておむつ。
＜２６＞  一方の前記ファスニングテープはその長さが、他方の前記ファスニングテープの長さよりも短くなっている前記＜２５＞に記載の使い捨ておむつ。
【００５７】
＜２７＞  他方の前記ファスニングテープは、おむつ幅方向と平行に延びているとともに、一方の前記ファスニングテープは、その延びる方向の延長線が、他方の前記ファスニングテープと交差するように、おむつ幅方向に対して傾斜している前記＜２５＞に記載の使い捨ておむつ。
＜２８＞  他方の前記ファスニングテープも、前記幅方向に延びる方向に沿って、かつ先端部に向けて基部側止着部、伸縮部及び先端部側止着部をこの順で有する前記＜５＞に記載の使い捨ておむつ。
＜２９＞  前記本体部の前記背側部のうち、前記止着手段と連設する領域が伸縮性を有する前記＜２３＞に記載の使い捨ておむつ。
【符号の説明】
【００５８】
１０  使い捨ておむつ
１１  止着手段
１２  表面シート
１３  裏面シート
１４  吸収体
１５  レッグ弾性部材
１６  ウエスト弾性部材
２０  基材シート
２１  第１ファスニングテープ
２２  第２ファスニングテープ
２１ａ，２２ａ  基部
２１ｂ，２２ｂ  先端部
２１ｃ，２２ｃ  基部側止着部
２１ｄ，２２ｄ  伸縮部
２１ｅ，２２ｅ  先端部側止着部
２１ｆ，２２ｆ  基部域
３０  共通基部域
３１  基部
【図１】
2014083235.tif 000003
【図２】
2014083235.tif 000004
【図３】
2014083235.tif 000005
【図４】
2014083235.tif 000006
【図５】
2014083235.tif 000007
【図６】
2014083235.tif 000008
【図７】
2014083235.tif 000009